(57)【要約】      （修正有）【課題】テープやフィルム等の薄膜状の部材や部品を、搬送用の部材から剥離させる際、薄膜状の部材や部品の形状を少し変更するだけで、確実に剥離させることができる剥離方法を提供する。【解決手段】搬送用部材（搬送用テープ）に付着させて搬送する薄膜部材（ポリイミドフィルム）１０の剥離方法において、薄膜部材１０の搬送方向側の前端部１４の面積を小さくする（突出部１６等を設ける）ことで前記薄膜部材１０を剥離させ易い形状にし、搬送用部材を薄膜部材１０の付着側と反対方向に屈曲させて、搬送用部材から薄膜部材１０を剥離する。【選択図】図１
2013063815.tif 000002
【特許請求の範囲】
【請求項１】
搬送用部材に付着させて搬送する薄膜部材の剥離方法において、
前記薄膜部材の搬送方向側の前端部の面積を小さくすることで前記薄膜部材を剥離させ易い形状にし、
前記搬送用部材を前記薄膜部材の付着側と反対方向に屈曲させて前記搬送用部材から前記薄膜部材を剥離することを特徴とする薄膜部材の剥離方法。
【請求項２】
前記薄膜部材の搬送方向側の前端部を、前記搬送方向と直角方向の前記薄膜部材の両端部を一直線に結ばないことを特徴とする請求項１に記載の薄膜部材の剥離方法。
【請求項３】
前記薄膜部材の前端部に、少なくとも１以上の突出部又は窪みを設けることを特徴とする請求項２に記載の薄膜部材の剥離方法。
【請求項４】
前記薄膜部材を前記搬送用部材から剥離させる際、前記薄膜部材を吸着することにより剥離させることを特徴とする請求項１〜３に記載の薄膜部材の剥離方法。
【請求項５】
前記薄膜部材がポリイミドフィルムであることを特徴とする請求項１〜４に記載の薄膜部材の剥離方法。
【請求項６】
請求項１〜５に記載の剥離方法により剥離させた前記薄膜部材を表面に定着させることを特徴とする電気コネクタ。
【発明の詳細な説明】
【技術分野】
【０００１】
本発明は、薄膜状の部材や部品を、それらを付着し搬送するための搬送用の部材から剥離させるための剥離方法、及びその剥離方法により剥離した薄膜部材が定着した電気コネクタに関する。
【背景技術】
【０００２】
薄膜状の部材や部品を、それらを付着し搬送するための搬送用の部材から剥離させる場合、例えば、搬送用の部材を薄膜状の部材の付着側と反対方向に屈曲させて前記搬送用の部材から前記薄膜状の部材を剥離させることがある。なお、特に挙げるべき特許文献はありません。
【発明の概要】
【発明が解決しようとする課題】
【０００３】
前述のような方法等により、薄膜状の部材や部品を搬送用の部材から剥離させようとすると、通常、搬送する薄膜状の部材の先頭となる部分（前端部）は搬送方向に対して直角で薄膜状の部材の両端部が一直線に結ばれているため、形状的に剥離し難いので、薄膜状の部材が搬送用の部材から剥離しないといった不具合が生じてしまう。
【０００４】
本発明は、このような課題に鑑みてなされたもので、搬送時に自然に剥離しない程度の粘着力を有しつつ、フィルム等の薄膜状の部材や部品の形状を少し変更するだけで、剥離させる際に確実に剥離させることができる剥離方法を提供する。
【課題を解決するための手段】
【０００５】
本発明の目的は、請求項１記載のように、搬送用部材に付着させて搬送する薄膜部材の剥離方法において、前記薄膜部材の搬送方向側の前端部の面積を小さくすることで前記薄膜部材を剥離させ易い形状にし、前記搬送用部材を前記薄膜部材の付着側と反対方向に屈曲させて前記搬送用部材から前記薄膜部材を剥離することを特徴とする薄膜部材の剥離方法により達成できる。
【０００６】
請求項２の剥離方法は、前記薄膜部材の搬送方向側の前端部を、前記搬送方向と直角方向の前記薄膜部材の両端部を一直線に結ばないことを特徴とする請求項１に記載の薄膜部材の剥離方法にある。
【０００７】
請求項３の剥離方法は、前記薄膜部材の前端部に、少なくとも１以上の突出部又は窪みを設けることを特徴とする請求項２に記載の薄膜部材の剥離方法にある。
【０００８】
請求項４の剥離方法は、前記薄膜部材を前記搬送用部材から剥離させる際、前記薄膜部材を吸着することにより剥離させることを特徴とする請求項１〜３に記載の薄膜部材の剥離方法にある。
【０００９】
請求項５の剥離方法は、前記薄膜部材がポリイミドフィルムであることを特徴とする請求項１〜４に記載の薄膜部材の剥離方法にある。
【００１０】
請求項６の電気コネクタは、請求項１〜５に記載の剥離方法により剥離させた前記薄膜部材を表面に定着させることを特徴とする電気コネクタにある。
【発明の効果】
【００１１】
本発明によれば、薄膜状の部材や部品の形状を少し変更するだけで、搬送用の部材から確実に剥離させることができる剥離方法を提供できる。
【図面の簡単な説明】
【００１２】
【図１】本発明による薄膜部材（ポリイミドフィルム）の平面図である。（ａ）実施形態１（ｂ）実施形態２（ｃ）実施形態３（ｄ）実施形態４である。
【図２】本発明による薄膜部材（ポリイミドフィルム）の剥離方法を示した図である。（ａ）ポリイミドフィルムが搬送用テープから剥離し吸着移動機により吸着される直前の状態である。（ｂ）ポミドフィルムが吸着移動機によりコネクタの位置まで移動され、コネクタに付着された時の状態である。
【図３】本発明による薄膜部材（ポリイミドフィルム）が付着したコネクタの斜視図である。
【発明を実施するための形態】
【００１３】
図に基づいて、本発明の実施形態について以下に説明する。
【００１４】
（実施形態１）
図２は、薄膜部材（ポリイミドフィルム１０）の搬送用部材（搬送用テープ３０）からの剥離方法を示した図である。該剥離方法では、主に、電気部品（コネクタ２０）等に貼り付ける薄膜部材（ポリイミドフィルム１０）と該薄膜部材（ポリイミドフィルム１０）を搬送する搬送用部材（搬送用テープ３０）と前記薄膜部材（ポリイミドフィルム１０）の剥離後に所定の位置（コネクタ２０の位置）まで移動させる移動装置（吸着移動機４０）を使用する。以下、その方法について説明する。
【００１５】
まず、本発明のポイントである図１の薄膜部材（ポリイミドフィルム１０）について説明する。前記薄膜部材は薄膜状であれば材質はどのようなものでも構わないが、本実施形態では、高強度・高耐熱性・電気絶縁性を兼ね備えるポリイミドを材質としたポリイミドフィルム１０を使用している。前記ポリイミドフィルム１０は、電気部品等に貼り付けられる等して使用されるので、それらへの使用用途に合わせた大きさや形状となるように切断等により加工する。また、本実施形態における電気部品は電気コネクタ２０である。
【００１６】
前記薄膜部材（ポリイミドフィルム１０）を剥離し易くするために、前記薄膜部材（ポリイミドフィルム１０）の搬送方向側の前端部の面積を小さくしている。つまり、前記薄膜部材の前端部１４を、一直線に結ばないことで、面積を小さくしている。例えば、前記薄膜部材の前端部１４に、１以上の突出部または窪みを設けて、小さくしている。
【００１７】
そこで、本実施形態１では、図１（ａ）のように、前記ポリイミドフィルム１０の前端部１４の両端付近それぞれに異なる大きさの略台形の突出部１５１６を設けている。前記ポリイミドフィルム１０をこのような形状にすることで、搬送用部材である前記搬送用テープ３０を前記ポリイミドフィルム１０の付着側と反対方向に屈曲させて前記搬送用テープ３０から前記ポリイミドフィルム１０を剥離させる際に、前記ポリイミドフィルム１０を前記搬送用テープ３０から剥離させ易くしている。なお、前記ポリイミドフィルム１０の前端部１４が前述の形状であれば、他の部分はどのような形状であっても構わない。
【００１８】
また、本実施形態１では、前記ポリイミドフィルム１０をコネクタ２０の所定の位置に確実に定着させるため、前記コネクタ２０の位置決め突起２２が入る位置決め孔１２を２箇所に設けている。さらに、前記コネクタ２０の形状に合わせて別の孔も設けている。
【００１９】
次に、搬送用部材（搬送用テープ３０）について説明する。前記搬送用部材は、複数のポリイミドフィルム１０を連続して搬送するため、テープ状である搬送用テープ３０とする。前記ポリイミドフィルム１０を粘着テープ等の接着手段により前記搬送用テープ３０に付着させておき、送出装置と巻取装置（共に図示無し）により前記搬送用テープ３０の送出し・巻取りを行い前記ポリイミドフィルム１０を搬送する。また、前記搬送用テープ３０の材質は、前述の役割を果たせればどのようなものでも構わないが、本実施形態１ではシリコンテープを使用している。
【００２０】
次に、移動装置（吸着移動機４０）について説明する。前記ポリイミドフィルム１０の移動装置である吸着移動機４０は、前記ポリイミドフィルム１０を吸着するための吸着部４２を備えている。前記ポリイミドフィルム１０が前記搬送用テープ３０から剥離するのとほぼ同時に、前記吸着部４２で前記ポリイミドフィルム１０を吸着する。さらに、前記吸着部４２に前記ポリイミドフィルム１０を吸着・保持した状態のまま、前記ポリイミドフィルム１０を定着させるコネクタ２０の位置まで移動させ、前記ポリイミドフィルム１０を前記コネクタ２０の所定の箇所に定着させる。前記吸着移動機４０は少なくとも前述の役割を果たせれば良く、その材質や形状や構成は特に問わない。また同時に、前記吸着移動機４０の吸着部４２は、前記ポリイミドフィルムを前記搬送用テープから剥離させるための補助的役割も担っている。また、本実施形態１では、前記移動装置において吸着という手段によりの前記ポリイミドフィルム１０を保持することとしているが、前記ポリイミドフィルム１０を確実に保持できればどのような手段でもよく、例えば、把持することにより保持してもよい。
【００２１】
次に、前記薄膜部材（ポリイミドフィルム１０）の前記搬送用部材（搬送用テープ３０）からの剥離方法について説明する。まず、前記ポリイミドフィルム１０を粘着テープ等の接着手段により前記搬送用テープ３０に付着させておく。前記粘着テープ等は、通常の搬送時に自然に剥離しない程度の粘着力が必要であり、且つ、剥離させる際には大きい力を必要としない適度な粘着力が必要である。そして、前記搬送用テープ３０を送出装置（図示無し）から送出し、同時に巻取装置（図示無し）で巻取ることで前記ポリイミドフィルム１０を搬送し、前記ポリイミドフィルム１０を剥離させたい位置で前記搬送用テープ３０を前記ポリイミドフィルムの１０付着側と反対方向に屈曲させることで、前記搬送用テープ３０から前記ポリイミドフィルム１０を剥離させる。本実施形態１においては、ローラー３２により前記ポリイミドフィルム１０を屈曲させていて、この位置で前記ポリイミドフィルム１０が前記搬送用テープ３０から剥離する。
【００２２】
（実施形態２）
図１（ｂ）は、本実施形態２の剥離方法における薄膜部材（ポリイミドフィルム１０）を示した図である。本実施形態２と前述の実施形態１との違いは、薄膜部材であるポリイミドフィルム１０の前端部の形状のみであるので、その形状についてのみ言及する。
【００２３】
本実施形態２では、図１（ｂ）のように、前記ポリイミドフィルム１０の前端部１４の両端付近それぞれにほぼ同じ大きさの略台形の突出部１５を設けている。前記ポリイミドフィルム１０をこのような形状にすることで、搬送用部材である前記搬送用テープ３０を前記ポリイミドフィルム１０の付着側と反対方向に屈曲させて前記搬送用テープ３０から前記ポリイミドフィルム１０を剥離させる際に、前記ポリイミドフィルム１０を前記搬送用テープ３０から剥離させ易くしている。なお、前記ポリイミドフィルム１０の前端部１４が前述の形状であれば、他の部分はどのような形状であっても構わない。
【００２４】
（実施形態３）
図１（ｃ）は、本実施形態３の剥離方法における薄膜部材（ポリイミドフィルム１０）を示した図である。本実施形態３と前述の実施形態１との違いは、薄膜部材であるポリイミドフィルム１０の前端部の形状のみであるので、その形状についてのみ言及する。
【００２５】
本実施形態３では、図１（ｃ）のように、前記ポリイミドフィルム１０の前端部１４に該前端部１４の両端（前記ポリイミドフィルム１０の両端）と中央付近の先端部１８を頂点とする略三角形の突出部１６を設けている。前記ポリイミドフィルム１０をこのような形状にすることで、搬送用部材である前記搬送用テープ３０を前記ポリイミドフィルム１０の付着側と反対方向に屈曲させて前記搬送用テープ３０から前記ポリイミドフィルム１０を剥離させる際に、前記ポリイミドフィルム１０を前記搬送用テープ３０から剥離させ易くしている。なお、前記ポリイミドフィルム１０の前端部１４が前述の形状であれば、他の部分はどのような形状であっても構わない。
【００２６】
（実施形態４）
図１（ｄ）は、本実施形態４の剥離方法における薄膜部材（ポリイミドフィルム１０）を示した図である。本実施形態４と前述の実施形態１との違いは、薄膜部材であるポリイミドフィルム１０の前端部の形状のみであるので、その形状についてのみ言及する。
【００２７】
本実施形態４では、図１（ｄ）のように、前記ポリイミドフィルム１０の前端部１４の中央付近に略弓形の突出部１７を設けている。前記ポリイミドフィルム１０をこのような形状にすることで、搬送用部材である前記搬送用テープ３０を前記ポリイミドフィルム１０の付着側と反対方向に屈曲させて前記搬送用テープ３０から前記ポリイミドフィルム１０を剥離させる際に、前記ポリイミドフィルム１０を前記搬送用テープ３０から剥離させ易くしている。なお、前記ポリイミドフィルム１０の前端部１４が前述の形状であれば、他の部分はどのような形状であっても構わない。
【符号の説明】
【００２８】
１０              ポリイミドフィルム
１２              位置決め孔
１４              前端部
１５，１６，１７  突出部
１８              先端部
２０              コネクタ
２２              位置決め突起
３０              搬送用テープ
３２              ローラー
４０              吸着移動機
４２              吸着部
【図１】
2013063815.tif 000003
【図２】
2013063815.tif 000004
【図３】
2013063815.tif 000005